(57)【要約】【課題】  振動による水位感知ホースの摩耗と破損を防止し、さらには正確な水位測定が可能で、水位感知ホースが異物などで詰まるのを防止できる水位感知装置付きドラム洗濯機を提供する。【解決手段】  水を貯留する水槽と、該水槽内の水位を測定するための水位感知装置とを含み、前記水位感知装置は、前記水槽と連通する水位感知ホースと、前記水位感知ホース内の圧力を感知する水位感知センサーと、を含み、前記水位感知ホースは前記水槽から離れて設けられることを特徴とするドラム洗濯機を提供する。【選択図】図１
2005137886.tif 000002
【特許請求の範囲】
【請求項１】
水を貯留する水槽と、
前記水槽内の水位を測定するための水位感知装置と、
前記水槽内の水を排水するための排水ポンプと、を含み、
前記水位感知装置は前記排水ポンプの所定の部分に連結されることを特徴とするドラム洗濯機。
【請求項２】
前記水位感知装置は、
前記排水ポンプの所定の部分に連結されて前記水槽と連通する水位感知ホースと、
前記水位感知ホース内の圧力を感知する水位感知センサーと、を含むことを特徴とする請求項１に記載のドラム洗濯機。
【請求項３】
前記水位感知ホースは、前記排水ポンプの吸入管測に連結されることを特徴とする請求項２に記載のドラム洗濯機。
【請求項４】
前記水位感知ホースの下部は、前記水位感知ホースの上部よりも大きい径を有することを特徴とする請求項３に記載のドラム洗濯機。
【請求項５】
前記水位感知ホースは、下部に設けられる拡管部と、前記拡管部と前記水位感知センサーとの間に設けられる狭管部と、を含むことを特徴とする請求項４に記載のドラム洗濯機。
【請求項６】
前記拡管部は、１０ｃｍ以上の長さを有することを特徴とする請求項５に記載のドラム洗濯機。
【請求項７】
キャビネットと、
前記キャビネット内に設置されて水を貯留する水槽と、
前記水槽と連通し、前記キャビネットに固定支持される固定部材と、
前記水槽内の水位を測定するための水位感知装置と、を含み、
前記水位感知装置は、前記固定部材に連結されて前記水槽と連通する水位感知ホースと、前記水位感知ホース内の圧力を感知する水位感知センサーと、を含むことを特徴とするドラム洗濯機。
【請求項８】
前記固定部材は、前記水槽内の水を強制排水するための排水ポンプであることを特徴とする請求項７に記載のドラム洗濯機。
【請求項９】
前記水位感知ホースは、前記排水ポンプの吸入管側に連結されることを特徴とする請求項８に記載のドラム洗濯機。
【請求項１０】
前記水位感知装置は、前記固定部材の所定の部分に連結されて水位感知ホースがドラム洗濯機の駆動時の振動により損傷するのを防ぐことを特徴とする請求項７に記載のドラム洗濯機。
【請求項１１】
前記排水ポンプは、前記キャビネットの底面に設けられて前記水槽から水を排水させることを特徴とする請求項９に記載のドラム洗濯機。
【請求項１２】
前記排水ポンプの所定の部分に、水槽内の水を吸い込む吸入管と、吸い込まれた水を吐出す吐出管とがさらに備えられることを特徴とする請求項１１に記載のドラム洗濯機。
【請求項１３】
前記水槽の排水口と前記吸入管とを連結する第１排水管と、一端が前記吐出管に連結され、他端は前記キャビネットの外部へ延設される第２排水管とがさらに備えられることを特徴とする請求項１２に記載のドラム洗濯機。
【請求項１４】
前記拡管部の水面には圧縮された空気の圧力が働き、この拡管部の水面が前記水槽の水面よりも低く保たれるようにすることを特徴とする請求項５に記載のドラム洗濯機。
【請求項１５】
前記拡管部は、前記水槽内の水位が最大レベルに到達した時でもこの拡管部内の水位が前記狭管部まで到達するのを防ぐような所定の長さに形成されることを特徴とする請求項１４に記載のドラム洗濯機。
【請求項１６】
前記水位感知センサーは、水位感知ホースの上端部に設置されることを特徴とする請求項２に記載のドラム洗濯機。
【発明の詳細な説明】
【技術分野】
【０００１】
本発明は、ドラム洗濯機に関し、さらに詳細には、振動による摩耗と破損を防止し、毛羽などの異物による詰まりを防止できる水位感知装置に関する。
【背景技術】
【０００２】
一般に、ドラム洗濯機は、キャビネットと、該キャビネットの一面に開閉自在に取り付けられたドアと、該ドアに向かって開口するドラム形状の水槽と、該水槽内に回転自在に装着される回転槽と、該回転槽を駆動する駆動モータと、を含んで構成される。
【０００３】
衣類などの洗濯物は前記回転槽内において洗濯され、洗濯に必要な水は前記水槽を通して供給される。また、この水槽に適正量の水を供給するべく水位を測定する水位感知装置が設けられる。
【０００４】
従来のドラム洗濯機の水位感知装置は、下記の特許文献１に開示されているように、水位感知装置の水位感知ホースが水槽側に連結されているが、この水槽は駆動モータにより激しく振動され、この振動から前記水槽に連結されている水位感知ホースが摩耗または破損してしまうという問題点があった。
【特許文献１】大韓民国特許公開公報第１９９９−００５１５８４号
【発明の開示】
【発明が解決しようとする課題】
【０００５】
本発明は、上記の問題点に鑑みてなされたものであり、振動による水位感知ホースの摩耗と破損を防止し、さらには正確な水位測定が可能で、水位感知ホースが異物により詰まるのを防止できる水位感知装置付きドラム洗濯機を提供することにその目的がある。
【課題を解決するための手段】
【０００６】
上記の目的を達成するべく、本発明に係るドラム洗濯機は、水が貯留される水槽と、前記水槽内の水位を測定するための水位感知装置と、前記水槽内の水を排水するための排水ポンプと、を含み、前記水位感知装置は前記排水ポンプの所定の部分に連結されることを特徴とする。
【０００７】
また、前記水位感知装置は、前記排水ポンプの所定の部分に連結されて前記水槽と連通する水位感知ホースと、前記水位感知ホース内の圧力を感知する水位感知センサーと、を含み、前記水位感知ホースは、前記排水ポンプの吸入管測に連結されることを特徴とする。
【０００８】
また、前記水位感知センサーは前記水位感知ホースの上端部に設置され、前記水位感知ホースは、下部に設けられる拡管部と、前記拡管部と前記水位感知センサーとの間に設けられる狭管部とを含み、前記拡管部は、前記狭管部よりも大きい径を持つとともに、１０ｃｍ以上の長さを有することを特徴とする。
【０００９】
上記の目的を達成するべく、本発明に係るドラム洗濯機は、キャビネットと、前記キャビネット内に設置されて水を貯留する水槽と、前記水槽と連通し、前記キャビネットに固定支持される固定部材と、前記水槽内の水位を測定するための水位感知装置と、を含み、前記水位感知装置は、前記固定部材に連結されて前記水槽と連通する水位感知ホースと、前記水位感知ホース内の圧力を感知する水位感知センサーと、を含むことを特徴とする。
前記固定部材は、前記水槽内の水を強制排水するための排水ポンプであることを特徴とする。
また、前記水位感知ホースは、前記排水ポンプの吸入管側に連結されることを特徴とする。
【発明の効果】
【００１０】
上述した如く、本発明に係るドラム洗濯機の水位感知装置は、水位感知ホースが、キャビネット側に固定された排水ポンプ側に連結されているために振動による摩耗と破損が防止され、また、前記水位感知ホースは上部に比べて径の大きい拡管部を備えているために正確な水位測定が可能で、毛羽などの異物によるホース詰まりから起こる水位感知装置の誤作動を防げる効果がある。
【発明を実施するための最良の形態】
【００１１】
以下、本発明の好ましい実施の形態を添付図面を参照しつつ詳細に説明する。図面中、同一の構成要素には可能な限り同一の参照符号及び番号を付けるものとする。
【００１２】
図１において、本発明の一実施の形態によるドラム洗濯機１００は、キャビネット１０と、該キャビネット１０の一面に開閉自在に取り付けられるドア１１と、該ドア１１に向かって開口するドラム形状の水槽２０と、該水槽２０内に回転自在に取り付けられる回転槽２１と、該回転槽２１を駆動する駆動モータ２２と、を含んで構成される。
【００１３】
前記回転槽２１の側壁には、前記回転槽２１が回転する際に洗濯物を上に持ち上げるためのリフター２５と、前記水槽２０から供給される洗濯に必要な水が通る複数の穴２６とが形成される。
【００１４】
前記水槽２０と前記回転槽２１は、同一の軸を中心軸として配置され、その中心軸上に前記駆動モータ２２が配設される。
【００１５】
前記キャビネット１０内の上部には、前記水槽２０に水を供給するための給水管３０と、前記ドア１１の上側に位置して前記給水管３０と連結される洗剤容器３３と、が備えられる。
【００１６】
前記水槽２０の上部には前記給水管３０の一端部が連結される給水口２３が形成され、前記水槽２０の下部には前記水槽２０に貯留する水を排水するための排水口２４が形成される。
【００１７】
前記キャビネット１０の底面には前記水槽２０に貯留している水を強制排水するための排水ポンプ４０が固定され、排水ポンプ４０の所定の部分には水槽２０内の水を吸い込む吸入管４１と、吸い込まれた水を吐出す吐出管４２とが備えられる。そして第１排水管３１は、前記水槽２０の排水口２４と前記吸入管４１とを連結し、第２排水管３２は、一端が前記吐出管４２に連結され、他端は前記キャビネット１０の外部へ延設される。
【００１８】
一方、ドラム洗濯機１００は、前記水槽２０に貯留する水の高さを測定するための水位感知装置５０をさらに含み、該水位感知装置５０は、下端部が前記排水ポンプ４０の吸入管４１に連結される水位感知ホース５１と、前記水位感知ホース５１の上端部に設置されて前記水位感知ホース５１内の空気圧力を測定する水位感知センサー５４と、を含む。前記水位感知ホース５１は、上端に前記水位感知センサー５４が取り付けられる狭管部５２と、該狭管部５２の下端に連結され、前記狭管部５２に比べて径の大きい拡管部５３と、を含む。
【００１９】
以下、本発明の一実施の形態による、水位感知装置５０付きドラム洗濯機１００の動作について説明する。
【００２０】
衣類などの洗濯物は、駆動モータ２２により回転する回転槽２１内において洗濯される。回転槽２１が回転する際、前記回転槽２１の側壁に取り付けられたリフター２５が洗濯物を前記回転槽２１の上に持ち上げては落しつつ衝撃力と洗濯物間の摩擦力を生じさせ、これらの力により洗濯が行われる。
【００２１】
洗濯に必要な水は給水管３０を通して供給され、この給水管３０は洗剤容器３３に連結されているため、洗濯に必要な洗剤を水に溶解した状態で供給するようになる。また、水槽２０に適正量の水を供給するために前記水位感知装置５０を用いて前記回転槽２１内の水位を測定する。
【００２２】
前記水位感知装置５０の水位感知ホース５１下部の拡管部５３は、前記排水ポンプ４０の吸入管４１と前記第１排水管３１とを介して前記水槽２０の下部に連通しているため、前記水槽２０に水が満たされてゆくにつれて前記拡管部５３の水位も一緒に上がる。この拡管部５３の水位が次第に上がるにつれて水位感知ホース５１内の空気が圧縮されて圧力が増加することになり、この圧力変化を水位感知センサー５４で感知することによって前記水槽２０の水位を測定することになる。
【００２３】
一方、前記水位感知ホース５１の下端部は、従来水槽２０側に連結されていたのとは違い、キャビネット１０に固定されている前記排水ポンプ４０の吸入管４１側に連結されているため、駆動モータ２２による振動の影響を受けなくなる。
【００２４】
そして、前記水位感知ホース５１は、その下部に径の大きい拡管部５３を持つため、均一の径を有する場合に比べて、同じ水位変化に対する圧力変化量が大きく、したがって、正確な水位感知が可能となる。
【００２５】
前記拡管部５３の水面には圧縮された空気の圧力が働いていることから、大気圧が働いている水槽２０の水面に比べて低く保たれるが、たとえ水槽２０内の水位が最大レベルに到達した時でもこの拡管部５３内の水位が狭管部５２まで到達しないようにこの拡管部５３の長さを十分長くすると、前記狭管部５２に毛羽などの異物が詰まって水位感知装置５０が誤作動を起こしたりするのを防ぐことができる。このため、拡管部５３の長さは１０ｃｍ以上のものが好ましい。
【図面の簡単な説明】
【００２６】
【図１】本発明の好ましい一実施の形態によるドラム洗濯機を示す側面断面図である。
【図２】図１のドラム洗濯機の排水ポンプに連結された水位感知装置を示す斜視図である。
【図３】図１のドラム洗濯機の水位感知装置を示す側面図である。
【符号の説明】
【００２７】
１０  キャビネット
２０  水槽
２４  排水口
３１  第１排水管
３２  第２排水管
４０  排水ポンプ
４１  吸入管
４２  吐出管
５０  水位感知装置
５１  水位感知ホース
５２  狭管部
５３  拡管部
５４  水位感知センサー
１００  ドラム洗濯機
【図１】
2005137886.tif 000003
【図２】
2005137886.tif 000004
【図３】
2005137886.tif 000005